(57)【要約】【課題】  接続図の変更箇所とその変更内容を理解しやすい形で明示した変更指示図を自動的に作成可能とする。【解決手段】  変更前データ保管部２０は、接続図変更要求が発生した場合に変更前接続図データ７１を変更前データ格納部２１に保管する。接続図変更部３０は、接続図を変更し、変更後接続図データ７２を得て変更後データ格納部３１に保管する。変更箇所判定部４０は、変更前接続図データ７１と前記変更後接続図データ７２から変更箇所を検出して変更箇所データ７３を得る。変更指示図作成部５０は、変更後接続図データ７２を元データとして変更箇所データ７３を反映させて変更指示図データ７４を作成する。変更指示図出力部６０は、変更指示図データ７４を用いてディスプレイ等の表示装置８２上に変更指示図を表示するとともに、プリンタ８３により紙面に変更指示図を印刷する。【選択図】  図１
2006004107.tif 000002
【特許請求の範囲】
【請求項１】
電気用品と配線の関係を表す接続図を作成する接続図用ＣＡＤで作成された接続図の変更に関する情報を管理するＣＡＤ変更管理システムにおいて、
前記接続図の変更要求が発生した場合に、変更前の接続図を示す変更前接続図データを保管する変更前データ保管手段と、
前記変更要求に従って前記接続図を変更し、変更後の接続図を示す変更後接続図データを得る接続図変更手段と、
前記変更前データ保管手段で保管された前記変更前接続図データと前記接続図変更手段で得られた前記変更後接続図データから変更箇所を判定してこの変更箇所を示す変更箇所データを得る変更箇所判定手段と、
前記変更前接続図データまたは前記変更後接続図データを元データとして、この元データに対し前記変更箇所判定手段で得られた前記変更箇所データを反映させて変更指示図データを作成する変更指示図作成手段、
を備えたことを特徴とするＣＡＤ変更管理システム。
【請求項２】
前記変更箇所判定手段は、
前記変更前データ保管手段で保管された前記変更前接続図データを読込む変更前データ読込み手段と、
前記接続図変更手段で変更された前記変更後接続図データを読込む変更後データ読込み手段と、
前記変更前データ読込み手段と前記変更後データ読込み手段とで読込まれた前記変更前接続図データと前記変更後接続図データから前記変更箇所を検出して前記変更箇所データを得る変更箇所検出手段を有する、
ことを特徴とする請求項１に記載のＣＡＤ変更管理システム。
【請求項３】
前記変更指示図作成手段は、前記元データにより示される元の接続図中に、前記変更箇所判定手段で得られた前記変更箇所データを示す画像要素として、非変更箇所と異なる表現形式の変更箇所画像要素を作図することにより、前記変更指示図データを作成するように構成されている、
ことを特徴とする請求項１または請求項２に記載のＣＡＤ変更管理システム。
【請求項４】
前記接続図は、前記電気用品の実際の配置に対応させた配置で各電気用品を示す個別の電気用品画像要素と、各電気用品の各端子を示すために各電気用品画像要素中に配置される端子画像要素と、各端子に接続される電線とその接続先を示すために各端子画像要素の近傍に配置される電線画像要素、接続先画像要素を含み、
前記変更箇所画像要素は、削除された前記電線画像要素と前記接続先画像要素の組み合わせを示す電線削除表示要素と、変更前と変更後の接続先画像要素の組み合わせを示す接続先変更表示要素と、追加された前記電線画像要素と前記接続先画像要素の組み合わせを示す電線追加表示要素を含む、
ことを特徴とする請求項３記載のＣＡＤ変更管理システム。
【請求項５】
データを格納する格納部とデータを処理する処理部を備えたコンピュータを用いて、電気用品と配線の関係を表す接続図を作成する接続図用ＣＡＤで作成された接続図の変更に関する情報を管理するＣＡＤ変更管理方法において、
前記処理部により、前記接続図の変更要求が発生した場合に、変更前の接続図を示す変更前接続図データを前記格納部に保管する変更前データ保管ステップと、
前記処理部により、前記変更要求に従って前記接続図を変更し、変更後の接続図を示す変更後接続図データを得る接続図変更ステップと、
前記処理部により、前記変更前データ保管ステップで保管された前記変更前接続図データと前記接続図変更ステップで得られた前記変更後接続図データから変更箇所を判定してこの変更箇所を示す変更箇所データを得る変更箇所判定ステップと、
前記処理部により、前記変更前接続図データまたは前記変更後接続図データを元データとして、この元データに対し前記変更箇所判定ステップで得られた前記変更箇所データを反映させて変更指示図データを作成する変更指示図作成ステップ、
を行うことを特徴とするＣＡＤ変更管理方法。
【請求項６】
データを格納する格納部とデータを処理する処理部を備えたコンピュータを制御して、電気用品と配線の関係を表す接続図を作成する接続図用ＣＡＤで作成された接続図の変更に関する情報を管理するＣＡＤ変更管理プログラムにおいて、
前記処理部により、前記接続図の変更要求が発生した場合に、変更前の接続図を示す変更前接続図データを前記格納部に保管する変更前データ保管ステップと、
前記処理部により、前記変更要求に従って前記接続図を変更し、変更後の接続図を示す変更後接続図データを得る接続図変更ステップと、
前記処理部により、前記変更前データ保管ステップで保管された前記変更前接続図データと前記接続図変更ステップで得られた前記変更後接続図データから変更箇所を判定してこの変更箇所を示す変更箇所データを得る変更箇所判定ステップと、
前記処理部により、前記変更前接続図データまたは前記変更後接続図データを元データとして、この元データに対し前記変更箇所判定ステップで得られた前記変更箇所データを反映させて変更指示図データを作成する変更指示図作成ステップ、
を前記コンピュータに行わせることを特徴とするＣＡＤ変更管理プログラム。
【発明の詳細な説明】
【技術分野】
【０００１】
本発明は、発電用プラントや産業用プラントなどの制御盤設計・組立の際に使用する電気用品と配線の関係を表す接続図に関するものであり、特に、上流設計にて変更が発生して接続図の変更も必要となった場合に、接続図の変更に関する情報を管理して下流の製造作業担当者等に提供するための技術に関する。
【背景技術】
【０００２】
近年のＣＡＤ（Computer Aided Design）／ＣＡＭ（Computer Aided Manufacturing）技術の著しい進歩に伴い、発電用プラントや産業用プラントなどの制御盤設計・組立において、電気用品と配線の関係を表す接続図は、接続図用ＣＡＤで作成されている。この接続図は、上流設計における変更の発生に伴い、それに応じた何らかの変更が必要となる場合も多いが、このように接続図の変更が必要となった場合、従来は、図１１に示すような手順で接続図の変更に関する情報を管理していた。
【０００３】
すなわち、この図１１に示すように、接続図用ＣＡＤによる接続図変更作業（Ｓ０１）で接続図を変更した後、この変更後の接続図を印刷し（Ｓ０２）、印刷した接続図に対して、設計担当者が変更前の接続図と変更後の接続図との目視チェックを行い（Ｓ０３）、変更箇所を朱丸や雲マークで記入していた（Ｓ０４）。そして、このように変更箇所を記入した接続図は、変更指示図として下流の製造担当者に提供され、変更指示図に従って配線の変更作業が行われていた。
【発明の開示】
【発明が解決しようとする課題】
【０００４】
しかしながら、上記のような従来の接続図に係る変更管理手法には、次のような問題点がある。まず、接続図の作成に携わる設計担当者は、接続図用ＣＡＤでの変更と変更指示図面作成の二重作業が必要となり、変更に伴う作業に多くの時間と労力を必要としていた。また、変更前の接続図図面と変更後の接続図図面とのチェックを目視で行なっていたため、変更箇所の見落とし等により、製造担当側での変更作業ミスにより後戻り作業が発生しており、このことは、制御盤設計・組立に係る工程全体の効率の低下につながっていた。
【０００５】
これに対し、接続図からリスト形式のＣＡＭ情報を生成する接続図ＣＡＤ装置において、接続図の変更があった場合に、接続図の変更前と変更後のＣＡＭ情報とを対比して、変更箇所のＣＡＭ情報を抽出生成するように構成した装置等も提案されている（特許文献１参照）。しかしながら、この従来技術においては、多数の文字列情報を列挙したリスト形式のＣＡＭ情報中で変更箇所を示すだけである。このリスト形式のＣＡＭ情報において、各変更箇所とその変更内容を正確に把握するためには、変更箇所のデータに含まれる多数の文字列情報の組み合わせを正確に理解する必要があるが、類似した記号や数字からなる多数の文字列情報を一目で正確に理解することは困難であるため、錯誤による作業ミスを生じる可能性がある。
【特許文献１】特開平９−１３４３８２号公報
【０００６】
本発明は、上記事情に鑑みてなされたものであり、その目的は、接続図の変更箇所とその変更内容を理解しやすい形で明示した変更指示図を自動的に作成可能なＣＡＤ変更管理システムと方法、およびプログラムを提供することである。
【課題を解決するための手段】
【０００７】
本発明は、上記のような目的を達成するために、変更前接続図データと変更後接続図データから変更箇所を判定して、この変更箇所を示すデータを反映させた接続図を変更指示図として作成することにより、接続図の変更箇所とその変更内容を理解しやすい形で明示した変更指示図を自動的に作成可能としたものである。
【０００８】
本発明のＣＡＤ変更管理システムは、電気用品と配線の関係を表す接続図を作成する接続図用ＣＡＤで作成された接続図の変更に関する情報を管理するＣＡＤ変更管理システムにおいて、変更前データ保管手段、接続図変更手段、変更箇所判定手段、変更指示図作成手段、を備えたことを特徴としている。ここで、変更前データ保管手段は、接続図の変更要求が発生した場合に、変更前の接続図を示す変更前接続図データを保管する手段であり、接続図変更手段は、変更要求に従って接続図を変更し、変更後の接続図を示す変更後接続図データを得る手段である。また、変更箇所判定手段は、変更前データ保管手段で保管された変更前接続図データと接続図変更手段で得られた変更後接続図データから変更箇所を判定してこの変更箇所を示す変更箇所データを得る手段である。さらに、変更指示図作成手段は、変更前接続図データまたは変更後接続図データを元データとして、この元データに対し変更箇所判定手段で得られた変更箇所データを反映させて変更指示図データを作成する手段である。
【０００９】
また、本発明のＣＡＤ変更管理方法およびＣＡＤ変更管理プログラムは、上記のＣＡＤ変更管理システムの特徴を、方法およびプログラムの観点からそれぞれ把握したものである。
【発明の効果】
【００１０】
本発明によれば、接続図の変更箇所とその変更内容を理解しやすい形で明示した変更指示図を自動的に作成可能なＣＡＤ変更管理システムと方法、およびプログラムを提供することができる。
【発明を実施するための最良の形態】
【００１１】
以下には、本発明を適用したＣＡＤ変更管理システムの１つの実施形態について、図面を参照して具体的に説明する。
【００１２】
［システム構成］
図１は、本実施形態に係るＣＡＤ変更管理システムを示すブロック図である。この図１に示すように、ＣＡＤ変更管理システは、変更要求受付部１０、変更前データ保管部２０、変更前データ格納部２１、接続図変更部３０、変更後データ格納部３１、変更箇所判定部４０、変更指示図作成部５０、変更指示図データ格納部５１、変更指示図出力部６０、等を備えている。各部の機能は次の通りである。
【００１３】
変更要求受付部１０は、接続図変更要求を受け付ける。変更前データ保管部２０は、接続図変更要求が発生した場合に、変更前の接続図を示す変更前接続図データ７１を変更前データ格納部２１に保管する。接続図変更部３０は、接続図変更要求に従って接続図を変更し、変更後の接続図を示す変更後接続図データ７２を得て変更後データ格納部３１に保管する。この場合、接続図変更部３０による接続図の変更は、入力装置８１と表示装置８２を通じてユーザである設計担当者と対話することにより、ユーザからの指示に応じて行う。
【００１４】
変更箇所判定部４０は、変更前接続図データ７１を読込む変更前データ読込み部４１、変更後接続図データ７２を読込む変更後データ読込み部４２、読込まれた変更前接続図データ７１と前記変更後接続図データ７２から変更箇所を検出して変更箇所データ７３を得る変更箇所検出部４３を備えており、変更箇所データ７３を変更指示図作成部５０に渡す。
【００１５】
変更指示図作成部５０は、変更後接続図データ７２を元データとして、この元データに対し変更箇所データ７３を反映させて変更指示図データ７４を作成する。なお、変形例として、変更前接続図データ７１を元データとして変更箇所データ７３を反映させて変更指示図データ７４を作成するようにしてもよい。変更指示図作成部５０は、作成した変更指示図データ７４を変更指示図データ格納部５１に格納する。
【００１６】
変更指示図出力部６０は、変更指示図データ７４を用いてディスプレイ等の表示装置８２上に変更指示図を表示するとともに、プリンタ８３により紙面に変更指示図を印刷する。また、ユーザとの対話により、ユーザからの指示に応じて変更指示図の表示・印刷を行うようにしてもよい。
【００１７】
なお、このようなＣＡＤ変更管理システムは、具体的には、コンピュータのメインメモリとそれに記憶されたＣＡＤ変更管理用として特化されたプログラム、そのプログラムによって制御されるＣＰＵなどの処理部、必要なデータを格納する補助記憶装置などの格納部、等により実現される。また、入力装置８１は、マウスやキーボード等の入力装置であり、ＣＡＤ変更管理システムは、入力装置８１によるユーザの操作に応じた指示を入力するようになっている。ここで挙げたハードウェア資源は、コンピュータが一般的に備えている基本的な構成要素であるため、これ以上の説明は省略する。
【００１８】
［動作］
図２は、以上のような構成を有する本実施形態に係るＣＡＤ変更管理システムの動作の概略を示すフローチャートである。
【００１９】
図２に示すように、ＣＡＤ変更管理システムの動作は、変更要求受付部１０により接続図変更要求を受け付けた時点（Ｓ１０のＹＥＳ）で開始する。すなわち、上流設計にて変更が発生し、変更要求受付部１０により接続図変更要求を受け付けた場合（Ｓ１０のＹＥＳ）には、変更前データ保管部２０により、変更前データ保管処理として、変更前の接続図を示す変更前接続図データ７１を変更前データ格納部２１に保管する（Ｓ２０）。
【００２０】
次に、接続図変更部３０により、接続図変更処理として、入力装置８１と表示装置８２を通じてユーザである設計担当者と対話することにより、ユーザからの指示に応じて接続図を変更し、変更後の接続図を示す変更後接続図データ７２を得て変更後データ格納部３１に保管する（Ｓ３０）。なお、この接続図変更処理において、接続図が変更された場合（Ｓ３５のＹＥＳ）には、そのまま変更箇所判定処理（Ｓ４０）に進むが、接続図の変更作業が途中で中止された場合等、接続図が変更されていない場合（Ｓ３５のＮＯ）には、動作を終了する。
【００２１】
変更箇所判定処理（Ｓ４０）において、変更箇所判定部４０は、変更前データ読込み処理として、変更前データ読込み部４１により変更前接続図データ７１を読込む（Ｓ４１）と共に、変更後データ読込み処理として、変更後データ読込み部４２により変更後接続図データ７２を読込む（Ｓ４２）。変更箇所判定部４０は、続いて、変更箇所検出処理として、変更箇所検出部４３により変更前接続図データ７１と前記変更後接続図データ７２から変更箇所を検出して変更箇所データ７３を得て、この変更箇所データ７３を変更指示図作成部５０に渡す（Ｓ４３）。なお、この変更箇所検出処理において、変更箇所が検出され、変更箇所データ７３が得られた場合（Ｓ４５のＹＥＳ）には、そのまま変更指示図作成処理（Ｓ５０）に進むが、変更箇所が検出されず、接続図の変更なしと判定した場合（Ｓ４５のＮＯ）には、動作を終了する。
【００２２】
変更指示図作成処理（Ｓ５０）において、変更指示図作成部５０は、変更後接続図データ７２を元データとして、この元データに対し変更箇所データ７３を反映させて変更指示図データ７４を作成し、この変更指示図データ７４を変更指示図データ格納部５１に格納する。
【００２３】
最後に、変更指示図出力部６０は、変更指示図出力処理として、変更指示図データ７４を用いてディスプレイ等の表示装置８２上に変更指示図を表示するとともに、プリンタ８３により紙面に変更指示図を印刷する（Ｓ６０）。
【００２４】
［接続図の具体例］
図３は、実際の電気用品の配置と各電気用品間の接続構成の一例を示す図である。この図３において、「Ａ１」〜「Ａ２」、「Ｂ１」〜「Ｂ３」は、個々の電気用品を表す電気用品番号である。また、各電気用品「Ａ１」〜「Ａ２」、「Ｂ１」〜「Ｂ３」を示すボックス中の番号「１」〜「４」は、電線を接続するための個々の端子を表す端子番号であり、「Ｌ１」〜「Ｌ３」は、個々の電線を表す電線番号である。
【００２５】
この例では、電気用品「Ａ１」の端子「１」と電気用品「Ａ２」の端子「１」とが電線「Ｌ１」で接続されている。同様に、電気用品「Ａ１」の端子「２」と電気用品「Ｂ１」の端子「１」が電線「Ｌ２」で接続され、さらに、同一電線「Ｌ２」で電気用品「Ｂ２」の端子「２」とも接続されている。また、電気用品「Ａ１」の端子「４」と電気用品「Ｂ３」の端子「１」とが電線「Ｌ３」で接続されている。
【００２６】
図４は、図３の電気用品の配置と各電気用品間を接続する電線の関係を表現する接続図の一例を示す図である。この図４において、「１０１」は電気用品を１つのブロックとして表す電気用品画像要素である。各電気用品画像要素１０１内にはまず、当該電気用品に関する基本的なデータを表す画像要素１０２〜１０５が配置されている。ここで、「１０２」は電気用品定格を表す電気用品定格画像要素であり、「１０３」は電気用品形式を表す電気用品形式画像要素であり、「１０４」は電気用品番号を表す電気用品番号画像要素である。また、「１０５」は電気用品の各端子「１」〜「４」の端子番号を表す端子番号画像要素である。これらの画像要素１０１〜１０５は、各電気用品が基本的に有する属性に関するデータを示す固定的な要素である。
【００２７】
また、各端子番号画像要素１０５の近傍には、当該端子の接続に関する接続データを表す画像要素として、電線番号を表す電線番号画像要素１０６と、接続先を表す接続先画像要素１０７が横方向に直線的に順次配置されている。ここで、電線番号画像要素１０６は、当該端子にどの電線が接続されるかというデータを示す要素であり、接続先画像要素１０７は、その電線の接続先がどの電気用品のどの端子であるかというデータを示す要素である。これらの画像要素１０６，１０７は、接続の変更に応じて変更される可変的な要素であり、接続図の変更における変更対象となる要素である。
【００２８】
例えば、電気用品「Ａ１」について説明すると、端子「１」を表す端子番号画像要素１０５の近傍には、端子「１」に電線「Ｌ１」が接続されていることを表す電線番号「Ｌ１」を表す電線番号画像要素１０６と接続先「Ａ２，１」を表す接続先画像要素１０７が順次配置されている。この場合、電線「Ｌ１」を表す電線番号画像要素１０６は、電気用品「Ａ１」の端子「１」に電線「Ｌ１」が接続されているというデータを示しており、接続先「Ａ２，１」を表す接続先画像要素１０７は、その電線「Ｌ１」の接続先が電気用品「Ａ２」の端子「１」であるというデータを示している。
【００２９】
また、電気用品「Ａ１」の端子「２」を表す端子番号画像要素１０５の近傍には、電線「Ｌ２」を表す電線番号画像要素１０６と接続先「Ｂ１，１」を表す接続先画像要素１０７が順次配置されている。この場合、電線「Ｌ２」を表す電線番号画像要素１０６は、電気用品「Ａ１」の端子「２」に電線「Ｌ２」が接続されているというデータを示しており、接続先「Ｂ１，１」を表す接続先画像要素１０７は、その電線「Ｌ２」の接続先が電気用品「Ｂ１」の端子「１」であるというデータを示している。
【００３０】
さらに、電気用品「Ａ１」の端子「４」を表す端子番号画像要素１０５の近傍には、電線「Ｌ３」を表す電線番号画像要素１０６と接続先「Ｂ３，１」を表す接続先画像要素１０７が順次配置されている。この場合、電線「Ｌ３」を表す電線番号画像要素１０６は、電気用品「Ａ１」の端子「４」に電線「Ｌ３」が接続されているというデータを示しており、接続先「Ｂ３，１」を表す接続先画像要素１０７は、その電線「Ｌ３」の接続先が電気用品「Ｂ３」の端子「１」であるというデータを示している。
【００３１】
また、他の電気用品「Ａ２」、「Ｂ１」〜「Ｂ３」についても、同様の画像要素により、同様のデータが表現されている。
【００３２】
なお、以下の説明においては、実際の電気用品の端子、電線、接続先と、接続図中においてそれらを示す画像要素とを区別する観点から、実際の端子、電線、接続先を意味する場合には、「端子」、「電線」、「接続先」と称し、接続図中の端子番号画像要素１０５、電線番号画像要素１０６、接続先番号画像要素１０７を意味する場合には、「端子番号」、「電線番号」、「接続先番号」と称するものとする。
【００３３】
［処理手順の具体例］
以下には、図４に示す接続図に対して図５に示すような変更を行う必要が発生した場合の具体的な処理手順の一例について順次説明する。
【００３４】
［変更前データ保管処理］
図４の接続図を変更する場合の変更前データ保管処理（Ｓ２０）においては、変更前データ保管部２０により、図４の接続図を示す接続図データが、変更前接続図データ７１として変更前データ格納部２１に保管される。
【００３５】
［接続図変更処理］
次に、接続図変更処理（Ｓ３０）においては、接続図変更部３０により、図４の接続図が、図５に示すような変更操作を通じて、図６に示すような接続図に変更される。この場合、図５において、「２０１」は、接続図中における電気用品「Ａ１」の端子番号「１」について、この端子に接続されている電線の電線番号「Ｌ１」と接続先番号「Ａ２，１」を削除（電線番号削除）するＣＡＤ操作を示している。また、「２０２」は、接続図中における電気用品「Ａ１」の端子番号「４」について、この端子に接続されている電線「Ｌ３」の接続先番号を「Ｂ３，１」から「Ｂ２，３」へ変更（接続先変更）するＣＡＤ操作を示している。
【００３６】
ここで、図５に示す電線番号削除２０１のＣＡＤ操作として、電気用品「Ａ１」の端子番号「１」について、この端子に接続されている電線の電線番号「Ｌ１」と接続先番号「Ａ２，１」を削除する操作を行うと、データを整合させるために、接続先の電気用品「Ａ２」の端子番号「１」についても、電線番号「Ｌ１」と接続先番号「Ａ１，１」を削除することとなる。これらのＣＡＤ操作の結果、図６中に電線番号削除結果２１１として示すように、電気用品「Ａ１」の端子番号「１」の接続データと電気用品「Ａ２」の端子番号「１」の接続データの両方が接続図から削除された状態となる。
【００３７】
次に、図５に示す接続先変更２０２のＣＡＤ操作として、電気用品「Ａ１」の端子番号「１」について、この端子に接続されている電線「Ｌ３」の接続先番号を「Ｂ３，１」から「Ｂ２，３」へ変更するＣＡＤ操作を行うと、データを整合させるために、元の接続先と新たな接続先の両方についても、接続データの削除または追加を行うこととなる。すなわち、元の接続先の電気用品「Ｂ３」の端子番号「１」については、電線番号「Ｌ３」と接続先番号「Ａ１，４」を削除すると共に、新たな接続先の電気用品「Ｂ２」の端子番号「３」については、電線番号「Ｌ３」と接続先番号「Ａ１，４」を追加することとなる。これらのＣＡＤ操作の結果、図６中に接続先変更結果２１２として示すように、接続図は、電気用品「Ａ１」の端子番号「１」の接続データが変更されると共に、電気用品「Ｂ３」の端子番号「１」の接続データが削除され、電気用品「Ｂ２」の端子番号「３」の接続データが追加された状態となる。
【００３８】
そして、以上のような接続図に対する一連のＣＡＤ変更作業が完了すると、図６の変更後接続図を示す接続図データが変更後接続図データ７２として変更後データ格納部３１に保存される。
【００３９】
［変更箇所判定処理］
次に、変更箇所判定処理（Ｓ４０）においては、変更箇所判定部４０の変更前データ読込み部４１と変更後データ読込み部４２により、図４の変更前接続図を示す変更前接続図データ７１と図６の変更後接続図を示す変更の地接続図データ７２が読込まれる。すなわち、図７に示すような、電線番号単位のデータからなるテーブル形式の変更前接続図データ７１Ｔと変更後接続図データ７２Ｔが、ＣＡＤ変更管理システムを実現しているコンピュータのメインメモリ上に作成される。ここで、変更前接続図データ７１Ｔと変更後接続図データ７２Ｔ中の個々のデータは、電線番号α１、接続元電気用品（ＦＲＯＭ電気用品）α２、接続元端子番号（ＦＲＯＭ端子番号）α３、接続先電気用品（ＴＯ電気用品）α４、接続先端子番号（ＴＯ端子番号）α５、という５項目から構成されている。
【００４０】
続いて、変更箇所判定部４０の変更箇所検出部４３により、変更前接続図データ７１Ｔと変更後接続図データ７２Ｔを用いて、電線番号単位での項目比較チェックが行われ、検出された変更箇所から変更箇所検出データ７３が作成される。すなわち、図７に示すような、変更箇所単位のデータからなるテーブル形式の変更箇所検出データ７３Ｔが作成される。ここで、変更箇所検出データ７３Ｔ中の個々の各データは、変更フラグβ１、電気用品β２、端子番号β３、変更電線番号β４、変更接続先電気用品β５、変更接続先端子番号β６、という６項目から構成されている。
【００４１】
図７の例では、変更前接続図データ７１Ｔ中の電線番号「Ｌ１」に関するデータα１０が変更後接続図データ７２Ｔ中に存在しないため、「電線削除データ」と判定され、変更箇所検出データ７３Ｔ中に削除データβ１０が作成される。この削除データβ１０は、電気用品「Ａ１」の端子番号「１」と電気用品「Ａ２」の端子番号「１」のそれぞれについて、電線番号「Ｌ１」が削除されたことを表している。
【００４２】
また、変更前接続図データ７１Ｔ中の電線番号「Ｌ３」に関するデータα１１については、接続先を示すＴＯ電気用品α４、ＴＯ端子番号α５が、変更後接続図データ７２Ｔ中のデータと異なるため、「接続先変更データ」と判定され、変更箇所検出データ７３Ｔ中に変更データβ１１が作成される。この接続先変更データβ１１としては、電気用品「Ａ１」の端子番号「４」について、接続先が電気用品「Ｂ２」の端子番号「３」に変更となり、電気用品「Ｂ２」の端子番号「３」について、電線番号「Ｌ３」と接続先の電気用品「Ａ１」の端子番号「４」が追加となり、電気用品「Ｂ３」の端子番号「１」について、電線番号「Ｌ３」が削除になる、という３件のデータが作成される。
【００４３】
［変更指示図作成処理］
次に、変更指示図作成処理（Ｓ５０）においては、変更指示図作成部５０により、図６の変更後接続図を示す変更後接続図データ７２を元データとして、この元データに対して図７の変更箇所データ７３Ｔを反映させて変更指示図データ７４を作成し、変更指示図データ格納部５１に保管する。この場合、具体的には、図８に示すような作図データの処理を行うことになる。
【００４４】
すなわち、各電気用品の作図データは、図８の接続図構成表３０１に示すように、基準座標（ｘ１，ｙ１）、構成表段高さｈ、端子作図幅ｗ１、電線番号作図幅ｗ２、接続先取消し作図幅ｗ３、接続先作図幅ｗ４、等の位置データを予め持っている。したがって、これらの各位置データを用いた計算を行うことにより、削除になった場合の取消し線の作図３０２や、接続先が変更になった場合の変更前接続先の取消し線と変更後接続先を示す接続先変更の作図３０３を実行することが可能となる。
【００４５】
図９は、図６の変更後接続図を示す変更後接続図データと図７の変更箇所データ７３Ｔ図７から作成された変更指示図を示している。この図９において、「４０１」は図５における電線番号削除２０１のＣＡＤ操作で削除された電線番号画像要素１０６と接続先番号画像要素１０７の組み合わせを「２重線」で示す電線削除表示要素であり、「４０２」は図５における接続先変更２０２のＣＡＤ操作による変更前と変更後の接続先画像要素１０７の組み合わせを「縮小文字＋２重線」と「拡大強調文字」で示す接続先変更表示要素である。
【００４６】
また、「４０３」は、図５の接続先変更２０２に伴って削除された電線番号画像要素１０６と接続先番号画像要素１０７の組み合わせを「２重線」で示す電線削除表示要素であり、「４０４」は、図５の接続先変更２０２に伴って追加された電線番号画像要素１０６と接続先番号画像要素１０７の組み合わせを「拡大強調文字」で示す電線追加表示要素である。
【００４７】
なお、変更箇所を示すこれらの表示要素４０１〜４０４を、非変更箇所と区別して明示するための具体的な表現形式は適宜選択可能であり、例えば、２重線や文字の縮小・拡大・強調などの他に、非変更箇所を黒、変更箇所を赤で示すといった色分け手法、さらに、矢印や雲マークなどの付加的な画像表要素を加える手法、などを使用することが考えられる。
【００４８】
［変更指示図出力処理］
変更指示図出力処理（Ｓ６０）においては、変更指示図出力部６０により、変更指示図データ７４を読込み、図９に示す変更指示図をディスプレイ等の表示装置８２上に表示するとともに、プリンタ８３により紙面に印刷する（Ｓ６０）。このように印刷された変更指示図は、下流の製造担当者に渡される。
【００４９】
図９に示すような変更指示図を受け取った製造担当者は、変更指示図を参照しながら、図１０に示す変更作業を行うことができる。ここで、図１０は、電気用品「Ａ１」の端子「１」と電気用品「Ａ２」の端子「１」とを接続していた電線「Ｌ１」を取り外すと共に、電気用品「Ａ１」の端子「４」と電気用品「Ｂ３」の端子「１」とを接続していた電線「Ｌ３」を電気用品「Ｂ３」の端子「１」側から取り外し、新たに電気用品「Ｂ２」の端子「３」に接続する、という内容の作業を表している。
【００５０】
［効果］
以上述べたように、本実施形態によれば、電気用品と配線の関係を表す接続図を接続図用ＣＡＤで変更する毎に変更前接続図データを保管しておき、変更前接続図データと変更後接続図データを比較チェックすることにより、変更箇所を自動的に検出し、その変更箇所が、追加・変更・削除のいずれであるかを各々明示した接続図を変更指示図として作成できる。
【００５１】
そして、このように変更箇所を明示した変更指示図を製造担当者に渡すことにより、製造担当者は、変更指示図を参照して、配線の撤去、接続先変更、配線の追加等の作業を行うことができる。この場合、上記のように、変更指示図を自動的に作成できるため、接続図変更に伴う設計時間が大幅に短縮できる。また、人間系での目視による比較チェックを行わないため、変更指示ミスをなくすことができる。
【００５２】
さらに、製造担当者側においては、リスト形式の情報のように多数の文字列情報の組み合わせを理解する必要なく、実際の電気用品の配置や配線を視覚的に表現した接続図データ中の変更箇所データとして変更箇所を視覚的に容易に理解することができる。その結果、製造担当側での変更作業ミスやそれによる後戻り作業をなくすことができるため、制御盤設計・組立に係る工程全体の効率を向上することができる。
【００５３】
［他の実施形態］
なお、本発明は、前述した実施形態に限定されるものではなく、本発明の範囲内で他にも多種多様な変形例が実施可能である。例えば、図面に示したシステム構成は、一例にすぎず、具体的な機能構成は適宜選択可能である。また、図面に示した接続図の構成やデータ構成、変更指示図における変更箇所の表現形式、なども一例にすぎず、適宜選択可能である。同様に、図面に示したフローチャートは、一例にすぎず、具体的な動作手順や各処理の詳細は適宜選択可能である。
【図面の簡単な説明】
【００５４】
【図１】本発明の実施形態に係るＣＡＤ変更管理システムを示すブロック図。
【図２】図１に示すＣＡＤ変更管理システムの動作の概略を示すフローチャート。
【図３】図１に示すＣＡＤ変更管理システムに係る実際の電気用品の配置と各電気用品間の接続構成の一例を示す図。
【図４】図３に示す電気用品の配置と各電気用品間を接続する電線の関係を表現する変更前接続図の一例を示す図。
【図５】図４に示す変更前接続図を変更するためのＣＡＤ操作を示す図。
【図６】図４に示す変更前接続図を図５に示すＣＡＤ操作により変更した後の変更後接続図を示す図。
【図７】図１に示すＣＡＤ変更管理システムによる変更箇所データの作成方法の一例を示す図。
【図８】図１に示すＣＡＤ変更管理システムによる変更指示図の作成方法の一例を示す図。
【図９】図６に示す変更後接続図と図７に示す変更箇所データから作成された変更指示図の一例を示す図。
【図１０】図９に示す変更指示図に従って行われる実際の変更作業を示す図。
【図１１】従来の接続図の変更管理方法を示すフローチャート。
【符号の説明】
【００５５】
１０…変更要求受付部
２０…変更前データ保管部
２１…変更前データ格納部
３０…接続図変更部
３１…変更後データ格納部
４０…変更箇所判定部
４１…変更前データ読込み部
４２…変更後データ読込み部
４３…変更箇所検出部
５０…変更指示図作成部
５１…変更指示図データ格納部
６０…変更指示図出力部
７１…変更前接続図データ
７２…変更後接続図データ
７３…変更箇所データ
７４…変更指示図データ
８１…入力装置
８２…表示装置
８３…プリンタ
【図１】
2006004107.tif 000003
【図２】
2006004107.tif 000004
【図３】
2006004107.tif 000005
【図４】
2006004107.tif 000006
【図５】
2006004107.tif 000007
【図６】
2006004107.tif 000008
【図７】
2006004107.tif 000009
【図８】
2006004107.tif 000010
【図９】
2006004107.tif 000011
【図１０】
2006004107.tif 000012
【図１１】
2006004107.tif 000013